(57)【要約】【課題】バックルによるベルト締結時に、バックルの操作部を誤って操作するのを防止できるカバー付バックルを提供する。【解決手段】第１のベルト８０に取り付けられ、操作部８２を有する第１のバックル８１と、第２のベルト９０に取り付けられ、第１のバックル８１と係脱自在に係合し得る第２のバックル９１と、第１のバックル８１に回動自在に設けられ、第１のバックル８１の操作部８２を覆う閉塞位置をとり得る開閉可能なカバー８３とからカバー付バックル１００を構成する。【選択図】　　図１
2004000686.tif 000002
【特許請求の範囲】
【請求項１】
第１のベルトに装着され、操作部を有する第１のバックルと、第２のベルトに装着され、前記第１のバックルと係脱自在に係合し得る第２のバックルと、その閉塞時に前記操作部を覆う開閉可能なカバーと、
を備えたカバー付バックル。
【請求項２】
請求項１において、
前記カバーが、前記第１のバックルに支持された支軸の中心軸線の回りを回動自在に設けられており、前記操作部を覆う閉塞位置と、前記操作部を露出させる開放位置とをとり得るようになっている、
ことを特徴とするカバー付バックル。
【請求項３】
請求項２において、
前記操作部が前記第１のバックルの両側部に設けられるとともに、前記支軸の端部が前記カバーの両側板部に取り付けられており、前記両側板部により、前記各操作部が覆われるようになっている、
ことを特徴とするカバー付バックル。
【請求項４】
請求項３において、
前記カバーの上面には、前記第２のバックルが前記第１のバックルに係合した時に前記第２のバックルのバックル本体が嵌合し得る開孔が形成されている、
ことを特徴とするカバー付バックル。
【請求項５】
請求項１ないし４のいずれかにおいて、
前記第１のバックルが雌型バックルであり、前記第２のバックルが雄型バックルである、
ことを特徴とするカバー付バックル。
【請求項６】
請求項１ないし５のいずれかにおいて、
前記カバー付バックルが、乳幼児キャリアのベルト締結用のバックルである、ことを特徴とするカバー付バックル。
【請求項７】
請求項１ないし５のいずれかにおいて、
前記カバー付バックルが、乳母車のセーフティベルト締結用のバックルである、
ことを特徴とするカバー付バックル。
【発明の詳細な説明】
【０００１】
【発明の属する技術分野】
本発明は、ベルト締結用のカバー付バックルに関する。
【０００２】
【従来の技術およびその課題】
乳幼児キャリアとして、たとえば特願平６−２５９３０２号に示すようなものが、本件出願人により提案されている。この乳幼児キャリアは、前当て部、股当て部および背当て部を一体に形成してなるキャリア本体を有し、前当て部の下部に取り付けられた肩掛けベルトのバックルが背当て部のバックルに係脱自在に係合することにより、キャリア本体が袋状に構成されるようなっている。
【０００３】
このような乳幼児キャリアによれば、その組立ての際には、上記各バックルを係合させるだけでよく、またキャリア本体を組立状態から展開状態にする際には、上記各バックルを外すだけでよいので、取扱いが容易である。
【０００４】
しかしながら、その一方、従来の乳幼児キャリアにおいては、上記各バックルの操作部が外部に露出しているため、子守者または乳幼児が操作部を誤って操作した際に、上記各バックルの係合状態が解除されて、背当て部が肩掛けベルトから外れてしまう恐れがある。
【０００５】
本発明は、このような実情に鑑みなされたもので、バックルによるベルト締結時に、バックルの操作部を誤って操作するのを防止できるカバー付バックルを提供することを目的とする。
【０００６】
【課題を解決するための手段】
請求項１の発明に係るカバー付バックルは、第１のベルトに装着され、操作部を有する第１のバックルと、第２のベルトに装着され、第１のバックルと係脱自在に係合し得る第２のバックルと、その閉塞時に第１のバックルの操作部を覆う開閉可能なカバーとを備えている。
【０００７】
請求項１の発明によれば、バックルの操作部を覆う開閉可能なカバーが設けられるので、バックル係合時には、カバーを閉めて操作部を覆うようにすることにより、操作者がバックルの操作部を誤って操作してベルトの締結状態を解除するのを防止できる。
【０００８】
請求項２の発明では、カバーが、第１のバックルに支持された支軸の中心軸線の回りを回動自在に設けられており、操作部を覆う閉塞位置と、操作部を露出させる開放位置とをとり得るようになっている。
【０００９】
請求項３の発明では、操作部が第１のバックルの両側部に設けられるとともに、支軸の端部がカバーの両側板部に取り付けられており、両側板部により、各操作部が覆われるようになっている。
【００１０】
請求項４の発明では、第２のバックルが第１のバックルに係合した時に第２のバックルのバックル本体が嵌合し得る開孔が、カバーの上面に形成されている。
【００１１】
請求項５の発明では、第１のバックルが雌型バックルであり、第２のバックルが雄型バックルである。
【００１２】
請求項６の発明では、カバー付バックルが、乳幼児キャリアのベルト締結用のバックルである。
【００１３】
請求項７の発明では、カバー付バックルが、乳母車のセーフティベルト締結用のバックルである。
【００１４】
【発明の実施の形態】
以下、本発明の実施態様を添付図面に基づいて説明する。
図１ないし図９は本発明によるカバー付バックルを説明するための図であり、図１は本発明の一実施態様によるカバー付バックルを構成する第１および第２のバックルの全体斜視図であって、カバー付バックルの係合前の状態を示す図、図２（ａ）はカバーを開放させた状態における第１のバックルの平面斜視図、（ｂ）はその側面図、図３はカバー付バックルの係合後の状態を示す図、図４は本発明の他の実施態様によるカバー付バックルにおける第１のバックルの全体斜視図、図５ないし図８は本発明によるカバー付バックルが採用された乳幼児キャリアを示す図、図９は本発明によるカバー付バックルが採用された乳母車を示す図である。
【００１５】
図１に示すように、カバー付バックル１００は、ベルト８０の先端に取り付けられた雌型のワンタッチバックル（第１のバックル）８１と、ベルト９０の先端に取り付けられ、ワンタッチバックル８１と係脱自在に係合し得る雄型のワンタッチバックル（第２のバックル）９１と、ワンタッチバックル８１の両側部に設けられた左右一対の操作部８２を覆う開閉可能なカバー８３とから構成されている。
【００１６】
カバー８３は、図２に示すように、その基端側において支軸８５を有している。支軸８５の各端部は、カバー８３の両側板部８３ｃに取り付けられている。一方、ワンタッチバックル８１の基端側には、支軸８５が係脱自在に係合し得る係合凹部８６が形成されている。支軸８５が係合凹部８６内に係合することにより、カバー８３が支軸８５の中心線回りを回動して、その両側板部８３ｃがワンタッチバックル８１の操作部８２を覆う閉塞位置（図１実線位置）と、上方に回動して操作部８２を露出させる開放位置（同図一点鎖線位置）とをとり得るようになっている。
【００１７】
支軸８５は、ワンタッチバックル８１の基端側先端部８７が弾性変形することによって係合凹部８６内に係合しており、これにより、ワンタッチバックル８１への取付け後は、カバー８３が簡単に外れないようになっている。
【００１８】
カバー８３の上面には、楕円形状の開孔８３ａが形成されている。各ワンタッチバックル８１，９１の係合時には、図３に示すように、ワンタッチバックル９１の楕円形状の本体部９２が開孔８３ａ内に嵌まり込むようになっている。
【００１９】
カバー８３の基端側には、矩形状の開孔８３ｂが形成されている。この開孔８３ｂは、カバー８３を閉塞位置にした際に、ワンタッチバックル８１に形成されたベルト通し用のスリット８９（図２）の上方に配置されるようになっている。これにより、ワンタッチバックル８１がベルト８０に取り付けられた状態で、カバー８３の閉塞位置への移動をスムーズに行えるようになっている。
【００２０】
この場合には、ワンタッチバックル８１の操作部８２を覆う開閉可能なカバー８３が設けられるので、バックル係合時には、カバー８３を閉めて操作部８２を覆うようにすることにより、操作者がワンタッチバックル８１の操作部８２を誤って操作してベルト８０，９０の締結状態を解除するのを防止できる。
【００２１】
次に、図４は、本発明の他の実施態様によるカバー付バックルを示しており、同図において、前記実施態様と同一符号は同一または相当部分を示している。
【００２２】
この場合には、カバー８３が角型の箱状部材であって、前記実施態様の略楕円型のものと異なっており、またベルト８０が、幅広のベルト８６の上に配設されてベルト８６に縫合されている点も異なっているが、その他の部分は、前記実施態様の各部分とほぼ同様である。
【００２３】
なお、前記実施態様および前記他の実施態様においては、支軸８５がカバー８３に一体に形成された例を示したが、この支軸８５は、ベルト８０のループ部分に支持させるようにしてもよい。
【００２４】
次に、本発明によるカバー付バックルが採用された乳幼児キャリアについて、図５ないし図９を用いて説明する。
図５は、乳幼児キャリアの展開状態の表面図、図６はその裏面図、図７は乳幼児キャリアの組立状態の正面図、図８はその側面図である。
【００２５】
図５および図６に示すように、この乳幼児キャリア１は、前当て部３、股当て部４および背当て部５を一体に連設して形成されたキャリア本体２を有している。
【００２６】
前当て部３の左右両端には、下方に延びる一対のショルダーベルト６，６′が取り付けられている。各ショルダーベルト６，６′の先端には、ベルト部材１１，１１′を介してワンタッチバックル１２，１２′が取り付けられており、各ショルダーベルト６，６′の前当て部側には、雌型のワンタッチバックル（第１のバックル）１０，１０′が設けられている。また、これらのワンタッチバックル１０，１０′には、図１に示したものと同様のカバー８３がそれぞれ装着されている。図６では、図示の便宜上、カバー８３を一点鎖線で示している。
【００２７】
股当て部４の両側部には、両側方に延びるベルト部材１５，１５′を介してワンタッチバックル１６，１６′が取り付けられている。これらのワンタッチバックル１６，１６′は、ショルダーベルト６，６′先端のワンタッチバックル１２，１２′に係脱自在に係合し得るようになっている。
【００２８】
背当て部５の左右両端には、乳幼児の体側部を支持するためのサイドサポート２５，２５′が斜め上方に張り出して設けられており、各サイドサポート２５，２５′には、ベルト部材２０，２０′を介して雄型のワンタッチバックル（第２のバックル）２１，２１′が取り付けられている。これらのワンタッチバックル２１，２１′は、ショルダーベルト６，６′の各ワンタッチバックル１０，１０′に係脱自在に係合し得るようになっている。そして、これらのワンタッチバックル１０，１０′および２１，２１′により、本発明によるカバー付バックル１００が構成されている。
【００２９】
各サイドサポート２５，２５′には係止ホック２６，２６′が設けられており、これら係止ホック２６，２６′は、前当て部３の両側部に取り付けた係止ホック２７，２７′に係脱自在に係合し得るようになっている。
【００３０】
背当て部５には、乳幼児の頭部を支持するためのヘッドサポート３０が着脱自在に設けられている。ヘッドサポート３０の両側部３２，３２′の先端部には係止ホック３３，３３′が取り付けられている。これらの係止ホック３３，３３′は、ショルダーベルト６，６′に取り付けられた係止ホック１９，１９′に係脱自在に係合し得るようになっている。
【００３１】
上記構成になる乳幼児キャリア１の組立ての際には、まず、ショルダーベルト６，６′を子守者の両肩に掛け、ショルダーベルト先端の各ワンタッチバックル１２，１２′をそれぞれベルト部材１５，１５′先端の各ワンタッチバックル１６，１６′に係合させる（図５，図６一点鎖線参照）。
【００３２】
次に、乳幼児を抱き、背当て部５ごと乳幼児を抱き寄せる。この状態から、背当て部５側のワンタッチバックル２１，２１′をショルダーベルト６側の各ワンタッチバックル１０，１０′に係合する。各バックルの係合後は、カバー８３を閉じる。
【００３３】
次に、左右のサイドサポート２５，２５′の各係止ホック２６，２６′を前当て部の各係止ホック２７，２７′に係合させるとともに、ヘッドサポート両側部３２，３２′の各係止ホック３３，３３′をショルダーベルト上部の係止ホック１９，１９′に係合させる。
【００３４】
このようにして、キャリア本体２が袋状に組み立てられて（図７および図８参照）、キャリア本体２内に乳幼児が収容されることになる。この場合には、カバー８３が閉じられていることにより、子守者または乳幼児がワンタッチバックル１０，１０′の操作部を誤って操作するのを防止できる。
【００３５】
なお、カバー付バックル１００は、上述したような乳幼児キャリアのベルト締結用のバックルとしてばかりでなく、図９に示すような乳母車のセーフティベルト締結用のバックルにも同様に適用できるものである。
【００３６】
図９において、この乳母車１１０には、シートの背もたれ部１１１と座部１１２との交差する個所に、カバー付バックル１００がセーフティベルトとして採用されている。このような乳母車用のセーフティベルトにカバー付バックル１００を用いることによって、乳幼児が誤ってセーフティベルトを外すのを簡単な機構で防止することができる。
【００３７】
またカバー付バックル１００は、バッグ等のベルト付の製品にも同様に適用できるものである。
【００３８】
【発明の効果】
以上のように本発明に係るカバー付バックルによれば、バックルの操作部を覆う開閉可能なカバーを設けるようにしたので、バックル係合時に操作者がバックルの操作部を誤って操作するのを防止できる効果がある。
【図面の簡単な説明】
【図１】本発明の一実施態様によるカバー付バックルを構成する第１および第２のバックルの全体斜視図であって、カバー付バックルの係合前の状態を示す図である。
【図２】（ａ）はカバー付バックルのカバーを開放させた状態における第１のバックルの平面斜視図、（ｂ）はその側面図である。
【図３】カバー付バックルの係合後の状態を示す図である。
【図４】本発明の他の実施態様によるカバー付バックルを構成する第１のバックルおよびカバーの全体斜視図である。
【図５】本発明が適用されるベビーキャリアの展開状態の表面図である。
【図６】前記展開状態のベビーキャリア（図５）の裏面図である。
【図７】ベビーキャリアの組立状態の正面図である。
【図８】ベビーキャリアの使用状態を示す図である。
【図９】カバー付バックルが乳母車に適用された例を示す図である。
【符号の説明】
１００：　カバー付バックル
８０：　ベルト（第１のベルト）
８１：　ワンタッチバックル（第１のバックル）
８２：　操作部
８３：　カバー
８３ａ：　開孔
８５：　支軸
９０：　ベルト（第２のベルト）
９１：　ワンタッチバックル（第２のバックル）
９２：　本体部（バックル本体）
【図１】
2004000686.tif 000003
【図２】
2004000686.tif 000004
【図３】
2004000686.tif 000005
【図４】
2004000686.tif 000006
【図５】
2004000686.tif 000007
【図６】
2004000686.tif 000008
【図７】
2004000686.tif 000009
【図８】
2004000686.tif 000010
【図９】
2004000686.tif 000011